(57)【特許請求の範囲】
【請求項１】
無線信号を送受信する第１の送受信手段と、
衛星信号を受信する第２の受信手段と、
該衛星信号からの信号に基づき自己の位置情報を得る衛星信号処理部とを有し、
前記位置情報を送信して自己の現在位置を通知する相手か否かを決定するリストに登録する登録手段とを備える携帯通信機器であって、
自己の位置を知られたくない複数の相手の番号からなる位置確認不可能リストを作成でき、
前記自己の位置情報を提供しない所定の期間を設定でき、
前記所定の期間外である場合は、前記位置確認不可能リストに記載された相手に対しても自己の現在位置を通知できる、携帯通信機器。
【請求項２】
衛星信号を受信する受信工程と、
該衛星信号からの信号に基づき自己の位置情報を得る衛星信号処理工程とを有し、
前記位置情報を送信して自己の現在位置を通知する相手か否かを決定するリストに登録する登録工程とを備えるプライバシー保護方法であって、
自己の位置を知られたくない複数の相手の番号からなる位置確認不可能リストを作成する工程と、
前記自己の位置情報を提供しない所定の期間を設定する工程と、をさらに含み、
前記所定の期間外である場合は、前記位置確認不可能リストに記載された相手に自己の現在位置を通知できる、プライバシー保護方法。
【発明の詳細な説明】
【技術分野】
【０００１】
本発明は、衛星を利用した携帯通信装置に関する。
【背景技術】
【０００２】
ＧＰＳ搭載携帯電話機では、ＧＰＳ衛星からの信号を受信し、位置、年月日、時刻のデータを得ることができる。得られた位置データを各携帯電話機から基地局を介して位置情報サービスセンターに送信することによって、その位置情報サービスセンター内のサーバ（データベース）においてその携帯電話機の位置データを保持し、他の携帯電話からそのデータベースにアクセスできる位置情報サービスがある。
【０００３】
位置情報サービスの概要を図８に示す。携帯電話ＢはＧＰＳを搭載しており、ＧＰＳ衛星と通信を行って自分の位置のデータ（例えば、緯度、経度）を得ることができる。この時、通常は、３基のＧＰＳ衛星と通信を行うが、図８では簡単のため１基のみを記載している。携帯電話Ｂが得た位置データは、携帯電話Ｂ内で利用されるだけでなく、位置情報サービスにのっとり、携帯電話Ｂから該位置データを基地局を介して位置情報サービスセンターに送信される。位置情報サービスセンター内では、この位置データと携帯電話Ｂの位置データであることを示すＩＤが保持される。
【０００４】
次に、携帯電話Ａから、携帯電話Ｂの位置情報を要求すると、通常は、プライバシー保護のために、携帯電話Ａは、携帯電話Ｂのためのパスワードを要求される。携帯電話Ｂのユーザが、事前に携帯電話Ａのユーザにパスワードを教えていれば、携帯電話Ａのユーザは、そのパスワードを入力することによって携帯電話Ｂの位置情報を位置情報サービスセンターから得ることができる。しかし、携帯電話Ａのユーザがパスワードを知らなければ、携帯電話Ｂの位置情報を位置情報サービスセンターから得ることはできない。
【０００５】
このように、パスワードを教えなければ、自分の位置を他人に知られることはなく、プライバシーの保護がなされている。
【先行技術文献】
【特許文献】
【０００６】
【特許文献１】特開平１０−１７０６２５号公報
【発明の概要】
【発明が解決しようとする課題】
【０００７】
位置情報サービスのためのパスワードを複数の人に教え、その一部又は全ての人に自分の位置を知られたくない場合がある。しかし、パスワードを知っている人はいつでも位置情報サービスセンターにアクセスして位置情報を得ることができる。そのため、パスワードを知っている人は、常に、相手の位置を確認することができることになり、従来の方法では、十分なプライバシー保護ができなかった。
従って、自分の位置を知られたくない場合は、電源を切るしかなかった。しかし、電源を切ると通常の携帯電話の使用もできなくなるという不便さがあった。
【課題を解決するための手段】
【０００８】
本願発明は、上記問題に鑑みなされたものであり、無線信号を送受信する第１のアンテナと、衛星信号を送受信する第２のアンテナと、該衛星信号から自己の位置情報を抽出する衛星信号処理部と、非音声情報を入力するため及び各種の機能を選択するためのキー入力部とを有する第１携帯通信機器と、上記位置情報を上記第１携帯通信機器から受信し保
持する固定局と、通信機能を有し、該第１携帯通信機器の位置情報を上記固定局に要求し取得できる第２通信機器とから成る位置情報サービスシステムにおいて、上記第１携帯通信機器が、少なくとも自分の現在位置を知られたくない相手のＩＤを登録したリストを作成し、該リストを上記固定局に送信し、上記固定局は、受信した上記リストを保持し、上記第２通信機器による上記位置情報要求があった場合に、上記リスト内に第２通信機器のＩＤが登録されているかどうかを確認し、登録されている場合は、メッセージを第２通信機器に送信し、上記位置情報を送信しない事を特徴とするプライバシー保護方法である。
【０００９】
また、上記第１携帯通信機器が、タイマーを有し、タイマーにて時間設定を行い、設定された時間帯になると上記リストを上記固定局に送信し、設定された時間帯を過ぎると上記リストを無効にする事を特徴とする上記のプライバシー保護方法でもある。
【００１０】
また、上記第１携帯通信機器が、タイマーを有し、タイマーにて時間設定を行い、設定された時間の所定時間前に上記リストを上記固定局に送信し、設定された時間帯を過ぎると上記リストを無効にする事を特徴とする上記のプライバシー保護方法でもある。
【００１１】
さらに、無線信号を送受信する第１のアンテナと、衛星信号を送受信する第２のアンテナと、該衛星信号から自己の位置情報を抽出する衛星信号処理部と、非音声情報を入力するため及び各種の機能を選択するためのキー入力部とを有する第１携帯通信機器と、上記位置情報を上記第１携帯通信機器から受信し保持する固定局と、通信機能を有し、該第１携帯通信機器の位置情報を上記固定局に要求し取得できる第２通信機器とから成る位置情報サービスシステムにおいて、上記第１携帯通信機器が、タイマーを有し、タイマーにて時間設定を行い、設定された時間帯に衛星信号送受信の機能を停止する事を特徴とするプライバシー保護方法でもある。
【００１２】
また、上記固定局において、上記第２通信機器から上記第１携帯通信機器の現在地確認要求があり、上記固定局内に上記第１携帯通信機器の現在地情報が保持されていない場合に、上記固定局より上記第２通信機器にメッセージを送信する事を特徴とする上記のプライバシー保護方法でもある。
【００１３】
また、上記固定局において、上記第２通信機器から上記第１携帯通信機器の現在地確認要求があり、上記固定局内に上記第１携帯通信機器の現在地情報が所定時間前より更新されていない場合に、上記固定局より上記第２通信機器にメッセージを送信する事を特徴とする上記のプライバシー保護方法でもある。
【００１４】
さらに、上記第１のアンテナと上記第２のアンテナを１本のアンテナで構成しても構わない。
【００１５】
一方、無線信号を送受信する第１のアンテナと、衛星信号を送受信する第２のアンテナと、該衛星信号から自己の位置情報を抽出する衛星信号処理部と、非音声情報を入力するため及び各種の機能を選択するためのキー入力部とを有する第１携帯通信機器と、上記位置情報を上記第１携帯通信機器から受信し保持する固定局と、通信機能を有し、該第１携帯通信機器の位置情報を上記固定局に要求し取得できる第２通信機器とから成る位置情報サービスシステムにおいて、上記第１携帯通信機器が、少なくとも自分の現在位置を知られたくない相手のＩＤを登録したリストを作成し、該リストを上記固定局に送信し、上記固定局は、受信した上記リストを保持し、上記第２通信機器による上記位置情報要求があった場合に、上記リスト内に第２通信機器のＩＤが登録されているかどうかを確認し、登録されている場合は、メッセージを第２通信機器に送信し、上記位置情報を送信しない事を特徴とするプライバシー保護システムでもある。
【００１６】
また、上記第１携帯通信機器が、タイマーを有し、タイマーにて時間設定を行い、設定された時間帯になると上記リストを上記固定局に送信し、設定された時間帯を過ぎると上記リストを無効にする事を特徴とする上記のプライバシー保護システムでもある。
【００１７】
また、上記第１携帯通信機器が、タイマーを有し、タイマーにて時間設定を行い、設定された時間の所定時間前に上記リストを上記固定局に送信し、設定された時間帯を過ぎると上記リストを無効にする事を特徴とする上記のプライバシー保護システムでもある。
【００１８】
さらに、無線信号を送受信する第１のアンテナと、衛星信号を送受信する第２のアンテナと、該衛星信号から自己の位置情報を抽出する衛星信号処理部と、非音声情報を入力するため及び各種の機能を選択するためのキー入力部とを有する第１携帯通信機器と、上記位置情報を上記第１携帯通信機器から受信し保持する固定局と、通信機能を有し、該第１携帯通信機器の位置情報を上記固定局に要求し取得できる第２通信機器とから成る位置情報サービスシステムにおいて、上記第１携帯通信機器が、タイマーを有し、タイマーにて時間設定を行い、設定された時間帯に衛星信号送受信の機能を停止する事を特徴とするプライバシー保護システムでもある。
【００１９】
また、上記固定局において、上記第２通信機器から上記第１携帯通信機器の現在地確認要求があり、上記固定局内に上記第１携帯通信機器の現在地情報が保持されていない場合に、上記固定局より上記第２通信機器にメッセージを送信する事を特徴とする上記のプライバシー保護システムでもある。
【００２０】
また、上記固定局において、上記第２通信機器から上記第１携帯通信機器の現在地確認要求があり、上記固定局内に上記第１携帯通信機器の現在地情報が所定時間前より更新されていない場合に、上記固定局より上記第２通信機器にメッセージを送信する事を特徴とする上記のプライバシー保護システムでもある。
【００２１】
また、上記第１のアンテナと上記第２のアンテナを１本のアンテナで構成しても構わない。
【００２２】
さらに、上記第１携帯通信機器が、タイマーを有し、タイマーにて時間設定を行い、設定された時間帯になると上記リストを上記固定局に送信し、設定された時間帯を過ぎると上記リストを無効にする事を特徴とする上記のプライバシー保護システムでもある。
【００２３】
一方、無線信号を送受信する第１のアンテナと、衛星信号を送受信する第２のアンテナと、該衛星信号から自己の位置情報を抽出する衛星信号処理部と、非音声情報を入力するため及び各種の機能を選択するためのキー入力部とを有し、少なくとも自分の現在位置を知られたくない相手のＩＤを登録したリストを作成し、上記位置情報及び上記リストを固定局に送信する携帯通信機器でもある。
【００２４】
また、タイマーを有し、タイマーにて時間設定を行い、設定された時間帯になると上記リストを上記固定局に送信し、設定された時間帯を過ぎると上記リストを無効にする事を特徴とする上記の携帯通信機器でもある。
【００２５】
また、タイマーを有し、タイマーにて時間設定を行い、設定された時間の所定時間前に上記リストを上記固定局に送信し、設定された時間帯を過ぎると上記リストを無効にする事を特徴とする上記の携帯通信機器でもある。
【００２６】
さらに、無線信号を送受信する第１のアンテナと、衛星信号を送受信する第２のアンテナと、該衛星信号から自己の位置情報を抽出する衛星信号処理部と、非音声情報を入力す
るため及び各種の機能を選択するためのキー入力部とを有し、さらにタイマーを有し、タイマーにて時間設定を行い、設定された時間帯に衛星信号送受信の機能を停止する事を特徴とする携帯通信機器でもある。
【００２７】
また、上記第１のアンテナと上記第２のアンテナを１本のアンテナで構成しても構わない。
【００２８】
一方、第１の携帯通信機器から現在位置情報を受信し保持し、第２の通信機器から該位置情報の確認要求があると該位置情報を第２の通信機器に送信する固定局であって、上記第１の通信機器から通信機器のＩＤを登録したリストを受信し保持し、第２の通信機器による上記位置情報の確認要求があった場合に、上記リスト内に第２通信機器のＩＤが登録されているかどうかを確認し、登録されている場合は、メッセージを第２通信機器に送信し、上記位置情報を送信しない事を特徴とする固定局でもある。
【００２９】
また、第１の携帯通信機器から現在位置情報を受信し保持し、第２の通信機器から該位置情報の確認要求があると該位置情報を第２の通信機器に送信する固定局であって、上記第２の通信機器から上記第１の携帯通信機器の現在地確認要求があり、上記第１携帯通信機器の現在地情報が保持されていない場合に、上記第２通信機器にメッセージを送信する事を特徴とする固定局でもある。
【００３０】
また、第１の携帯通信機器から現在位置情報を受信し保持し、第２の通信機器から該位置情報の確認要求があると該位置情報を第２の通信機器に送信する固定局であって、上記第２の通信機器から上記第１の携帯通信機器の現在地確認要求があり、上記第１携帯通信機器の現在地情報が所定時間前より更新されていない場合に、上記第２の通信機器にメッセージを送信する事を特徴とする固定局でもある。
【発明の効果】
【００３１】
本発明により、位置情報サービスを利用するユーザは、一旦パスワードを教えた他の人によって何時でも自分の位置を確認される可能性があるという問題を解決することができる。
【００３２】
しかも、位置確認される側は、自分の携帯機器の電源をオフすることなく、他パスワードを知っているの他の人からの位置確認を容易に拒否することが可能となった。
【００３３】
従って、一旦パスワードを教えても、いつでも相手を指定して位置確認を拒否することができるので、プライバシーはより強固に保護できるようになった。
【図面の簡単な説明】
【００３４】
【図１】本発明の実施例のブロック図。
【図２】本発明の概要図
【図３】本発明の第１の実施例のフローチャート
【図４】本発明の位置確認不可能リストの一例
【図５】本発明の第２の実施例のフローチャート
【図６】本発明の第３の実施例のフローチャート
【図７】本発明の第４の実施例のフローチャート
【図８】従来技術の概要図
【発明を実施するための形態】
【００３５】
以下、本発明の実施例を、図面に沿って具体的に説明する。
本発明に係るＧＰＳ搭載携帯電話機の構成を、図１に示す。図１において、１はアンテ
ナ、３はデュプレクサ、４は受信部、５は送信部で、送信部（５）において、送信する信号を送信用の所定の形態に変換し、該変換された送信信号をデュプレクサ（３）に送る。デュプレクサ（３）は送信すべき信号をアンテナ（１）に送り、アンテナ（１）より無線送信し、また、アンテナ（１）より受信された信号はデュプレクサ（３）により受信部（４）に送り、受信部（４）では受信した信号を復調処理して制御部（６）における。制御部（６）では、送信時には、マイク（９）による音声入力又は操作部（８）より入力される非音声情報を処理し、送信部に送る。また、受信時には、受信部（４）より復調された信号を受取り、音声信号をスピーカ（２）に、非音声信号を表示部（７）に出力する。また、記憶部（１０）には、電話番号や受信したメッセージなどを記憶し、随時操作部（８）の操作により読み出すことができる。操作部（８）は、操作ボタンからなるキー入力部より成る。
【００３６】
また、ＧＰＳデータは、ＧＰＳアンテナ（１２）を介してＧＰＳデータ（例えば緯度、経度データ）を受信し、ＧＰＳ処理部（１１）にて携帯電話機内で処理できるデータ形状に変換し、制御部（６）に送る。
【００３７】
次に、本発明の概要を図２に示す。携帯電話ＢはＧＰＳを搭載しており、ＧＰＳ衛星と通信を行って自分の位置のデータ（例えば、緯度、経度）を得ることができる。この時、通常は、３基のＧＰＳ衛星と通信を行うが、図２では簡単のため１基のみを記載している。携帯電話Ｂが得た位置データは、携帯電話Ｂ内で利用されるだけでなく、位置情報サービスにのっとり、携帯電話Ｂから該位置データを基地局を介して位置情報サービスセンターに送信される。位置情報サービスセンター内では、この位置データと携帯電話Ｂの位置データであることを示すＩＤが保持される。
【００３８】
次に、携帯電話Ａから、携帯電話Ｂの位置情報を要求すると、通常は、プライバシー保護のために、携帯電話Ａは、携帯電話Ｂのためのパスワードを要求される。携帯電話Ｂのユーザが、事前に携帯電話Ａのユーザにパスワードを教えていれば、携帯電話Ａのユーザは、そのパスワードを入力することによって携帯電話Ｂの位置情報を位置情報サービスセンターから得ることができる。しかし、携帯電話Ａのユーザがパスワードを知らなければ、携帯電話Ｂの位置情報を位置情報サービスセンターから得ることはできない。
【００３９】
さらに、携帯電話Ｂのユーザは、自分の位置を知られたくない相手をリストした位置確認不可能リストを作成し、この位置確認不可能リストを位置情報サービスセンターに送信する。位置情報サービスセンターでは、この位置確認不可能リストをデータベース内に格納する。携帯電話Ａから携帯電話Ｂの位置情報要求があった時に、携帯電話Ａが位置確認不可能リスト内に登録されている場合、位置情報サービスセンターは位置情報確認ＮＧメッセージを携帯電話Ａに送信する。即ち、携帯電話Ｂのユーザは、位置確認不可能リストに携帯電話Ａを登録することにより、携帯電話Ａから携帯電話Ｂの位置確認ができないようにすることができ、さらに携帯電話Ｂは通常の携帯電話としての機能を使用することができる。
【００４０】
次に、本発明のシステムにおける第１の実施例におけるフローチャートを図３に示す。デフォルトは位置情報サービスをオンとする。従って、ステップ３０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。次に、ステップ３０２では、携帯電話Ｂは、取得したＧＰＳ位置データを送信部（５）、デュプレクサ（３）、アンテナ（１）を介して位置情報サービスセンターに送信する。このようにして位置情報サービスセンターで携帯電話ＢのＧＰＳ位置データを取得し、保持されると、他の携帯電話である携帯電話Ａから位置情報サービスセンターにアクセスして、携帯電話Ｂの位置を確認することが可能になる（ステップ３０３）。
【００４１】
しかし、携帯電話Ｂのユーザが自分の位置を、携帯電話Ａのユーザに知られたくない場合（ステップ３０４）、携帯電話Ｂにおいて位置確認不可能リストに携帯電話Ａを登録することができる（ステップ３０５）。このとき、位置確認不可能リストは、例えば、図４に示すように単純に、位置を教えたくないユーザの携帯電話をリストアップするだけでよい。しかし、位置確認不可能リストへの登録の方法は、この方法に限定されるものではなく、位置確認させたくない相手を特定できる方法であればどんな方法でも構わない。
【００４２】
次に、携帯電話Ｂにおいて、位置確認不可能リストに携帯電話Ａを登録した場合は（ステップ３０５）、その位置確認不可能リストを位置情報サービスセンターに送信する（ステップ３０６）。しかし、携帯電話Ｂにおいて、位置情報確認不可能リストに携帯電話Ａを登録しない場合は（ステップ３０５）、通常通り携帯電話Ａは位置情報サービスセンターにアクセスし、携帯電話Ｂの位置を確認することができる状態にある（ステップ３０７）。
【００４３】
次に、携帯電話Ａにおいて、携帯電話Ｂの位置情報の問い合わせを行ったとする（ステップ３０８）。このとき、例えば、携帯電話Ａからは位置情報サービスセンターに、位置情報を確認したい携帯電話Ｂの電話番号と、携帯電話Ａの電話番号と、携帯電話Ｂの位置情報を確認するためのパスワードを送信する。しかし、携帯電話Ａから位置情報サービスセンターに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００４４】
次に位置情報サービスセンターでは、携帯電話Ａからの携帯電話Ｂの位置情報の問い合わせであることを認識すると、携帯電話Ａが携帯電話Ｂにおける位置確認不可能リストに登録されていないかどうかを確認する（ステップ３０９）。このとき、パスワードが正しいかどうかも確認するが、そのような方法は公知であるので図３には記載していない。
【００４５】
位置情報サービスセンターにおいて、携帯電話Ａが携帯電話Ｂの位置確認不可能リストに登録されていない場合は（ステップ３０９）、位置情報サービスセンターは携帯電話Ｂの位置情報を携帯電話Ａに送信する（ステップ３１２）。従って、携帯電話Ａにおいて、携帯電話Ｂの位置情報を受取り、携帯電話Ｂの位置を確認できる（ステップ３１３）。
【００４６】
一方、位置情報サービスセンターにおいて、携帯電話Ａが携帯電話Ｂの位置確認不可能リストに登録されている場合は（ステップ３０９）、位置情報サービスセンターは、携帯電話Ｂの位置確認が不可能であることを示すメッセージを携帯電話Ａに送信する（ステップ３１０）。携帯電話Ａにおいて、このような位置確認が不可能であることを示すメッセージを受取った場合は、携帯電話Ａでは携帯電話Ｂの位置を確認することができず、上記受取ったメッセージを表示部に表示する（ステップ３１１）
次に、本発明のシステムにおける第２の実施例におけるフローチャートを図５に示す。デフォルトは位置情報サービスをオンとする。従って、ステップ５０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。次に、ステップ５０２では、携帯電話Ｂは、取得したＧＰＳ位置データを送信部（５）、デュプレクサ（３）、アンテナ（１）を介して位置情報サービスセンターに送信する。このようにして位置情報サービスセンターで携帯電話ＢのＧＰＳ位置データを取得し、保持されると、他の携帯電話である携帯電話Ａから位置情報サービスセンターにアクセスして、携帯電話Ｂの位置を確認することが可能になる（ステップ５０３）。
【００４７】
しかし、携帯電話Ｂのユーザが、ある時間帯は、自分の位置を、携帯電話Ａのユーザに知られたくない場合（ステップ５０４）、携帯電話Ｂにおいてその時間帯のタイマー設定を行う（ステップ５０５）。携帯電話Ｂにおいて位置確認不可能リストに携帯電話Ａを登録する。（ステップ５０６）。このとき、位置確認不可能リストは、例えば、図４に示すように単純に、位置を教えたくないユーザの携帯電話をリストアップするだけでよい。しかし、位置確認不可能リストへの登録の方法は、この方法に限定されるものではなく、位置確認させたくない相手を特定できる方法であればどんな方法でも構わない。また、ここで作成される位置確認不可能リストは、タイマー設定した時間帯に特定されるものを別途
作成してもよい。
【００４８】
次に、タイマー設定された時間になった場合は（ステップ５０７）、ステップ５０６で作成した位置確認不可能リストを位置情報サービスセンターに送信する（ステップ５０８）。このとき、ステップ５０７においてタイマー設定した時間の一定時間前（例えば５分前など）になったかどうかで判断してもよい。
【００４９】
しかし、タイマー設定された時間でない場合は（ステップ５０７）、位置確認不可能リストが送信されないので、或いはタイマーで設定された時間帯を過ぎている場合は、携帯電話Ｂが位置情報サービスセンターに保持されている位置確認不可能リストを無効にするため（ステップ５０９）、通常通り携帯電話Ａは位置情報サービスセンターにアクセスし、携帯電話Ｂの位置を確認することができる状態にある（ステップ５１０）。このとき、ステップ５０７においてタイマー設定した時間の一定時間前（例えば５分前など）になったかどうかで判断してもよい。
【００５０】
次に、携帯電話Ａにおいて、携帯電話Ｂの位置情報の問い合わせを行ったとする（ステップ５１１）。このとき、例えば、携帯電話Ａからは位置情報サービスセンターに、位置情報を確認したい携帯電話Ｂの電話番号と、携帯電話Ａの電話番号と、携帯電話Ｂの位置情報を確認するためのパスワードを送信する。しかし、携帯電話Ａから位置情報サービスセンターに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００５１】
次に位置情報サービスセンターでは、携帯電話Ａからの携帯電話Ｂの位置情報の問い合わせであることを認識すると、携帯電話Ａが携帯電話Ｂにおける位置確認不可能リストに登録されていないかどうかを確認する（ステップ５１２）。このとき、パスワードが正しいかどうかも確認するが、そのような方法は公知であるので図５には記載していない。
【００５２】
位置情報サービスセンターにおいて、携帯電話Ａが携帯電話Ｂの位置確認不可能リストに登録されていない場合は（ステップ５１２）、位置情報サービスセンターは携帯電話Ｂの位置情報を携帯電話Ａに送信する（ステップ５１５）。従って、携帯電話Ａにおいて、携帯電話Ｂの位置情報を受取り、携帯電話Ｂの位置を確認できる（ステップ５１６）。
【００５３】
一方、位置情報サービスセンターにおいて、携帯電話Ａが携帯電話Ｂの位置確認不可能リストに登録されている場合は（ステップ５１２）、位置情報サービスセンターは、携帯電話Ｂの位置確認が不可能であることを示すメッセージを携帯電話Ａに送信する（ステップ５１３）。携帯電話Ａにおいて、このような位置確認が不可能であることを示すメッセージを受取った場合は、携帯電話Ａでは携帯電話Ｂの位置を確認することができず、上記受取ったメッセージを表示部に表示する（ステップ５１４）。
【００５４】
次に、本発明のシステムにおける第３の実施例におけるフローチャートを図６に示す。デフォルトは位置情報サービスをオンとする。従って、ステップ６０１で、携帯電話Ｂは、位置情報サービスをオンにし、ＧＰＳ衛星にアクセスし、ＧＰＳアンテナ（１２）及びＧＰＳ処理部（１１）を介してＧＰＳ位置データを取得する。次に、ステップ６０２では、携帯電話Ｂは、取得したＧＰＳ位置データを送信部（５）、デュプレクサ（３）、アンテナ（１）を介して位置情報サービスセンターに送信する。このようにして位置情報サービスセンターで携帯電話ＢのＧＰＳ位置データを取得し、保持されると、他の携帯電話である携帯電話Ａから位置情報サービスセンターにアクセスして、携帯電話Ｂの位置を確認することが可能になる（ステップ６０３）。ここまでの処理は、ステップ６０４以降の操作をしない場合は、間欠的に繰り返されるものとする。
【００５５】
しかし、携帯電話Ｂのユーザが、ある時間帯は、自分の位置を、携帯電話Ａのユーザに知られたくない場合（ステップ６０４）、携帯電話Ｂにおいてその時間帯のタイマー設定を行うかどうか判断する。（ステップ６０５）。タイマー設定する場合は、ステップ６０６においてタイマー設定する。タイマー設定された時間になると、携帯電話ＢはＧＰＳ機能を停止させる（ステップ６０７）。
【００５６】
次に、タイマー設定しない場合は（ステップ６０５）、上記のように、間欠的にＧＰＳデータを通常通り取得し、位置情報サービスセンターに送信する。
【００５７】
次に、携帯電話Ａにおいて、携帯電話Ｂの位置情報の問い合わせを行ったとする（ステップ６０８）。このとき、例えば、携帯電話Ａからは位置情報サービスセンターに、位置情報を確認したい携帯電話Ｂの電話番号と、携帯電話Ａの電話番号と、携帯電話Ｂの位置情報を確認するためのパスワードを送信する。しかし、携帯電話Ａから位置情報サービスセンターに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００５８】
次に位置情報サービスセンターでは、携帯電話Ａからの携帯電話Ｂの位置情報の問い合わせであることを認識すると、携帯電話Ｂにおける位置データが過去一定時間内（例えば５分）に更新されているかどうかを確認する（ステップ６０９）。このとき、パスワードが正しいかどうかも確認するが、そのような方法は公知であるので図６には記載していない。
【００５９】
位置情報サービスセンターにおいて、携帯電話Ｂの位置データが過去一定時間以内（例えば５分）に更新されている場合は（ステップ６０９）、位置情報サービスセンターは携帯電話Ｂの位置情報を携帯電話Ａに送信する（ステップ６１２）。従って、携帯電話Ａにおいて、携帯電話Ｂの位置情報を受取り、携帯電話Ｂの位置を確認できる（ステップ６１３）。
【００６０】
一方、位置情報サービスセンターにおいて、携帯電話Ｂの位置データが過去一定時間以内（例えば５分）に更新されていない場合は（ステップ６０９）、位置情報サービスセンターは、携帯電話Ｂの位置確認が不可能であることを示すメッセージを携帯電話Ａに送信する（ステップ６１０）。携帯電話Ａにおいて、このような位置確認が不可能であることを示すメッセージを受取った場合は、携帯電話Ａでは携帯電話Ｂの位置を確認することができず、上記受取ったメッセージを表示部に表示する（ステップ６１１）
次に、本発明のシステムにおける第４の実施例におけるフローチャートを図７に示す。デフォルトは位置情報サービスをオンとする（ステップ７０１）。
【００６１】
しかし、携帯電話Ｂのユーザが、ある時間帯は、自分の位置を、携帯電話Ａのユーザに知られたくない場合、携帯電話Ｂにおいてその時間帯のタイマー設定を行うかどうか判断する。（ステップ７０２）。タイマー設定する場合は、ステップ７０３においてタイマー設定する。タイマー設定された時間になると、携帯電話ＢはＧＰＳ機能を停止させる（ス
テップ７０４）。従って、携帯電話Ｂの位置データを取得することができないので、位置情報サービスセンターにも、携帯電話Ｂの位置情報を送信することができない。
【００６２】
次に、タイマー設定しない場合は（ステップ７０２）、ＧＰＳデータを通常通り取得し、位置情報サービスセンターに送信する。
【００６３】
次に、携帯電話Ａにおいて、携帯電話Ｂの位置情報の問い合わせを行ったとする（ステップ７０５）。このとき、例えば、携帯電話Ａからは位置情報サービスセンターに、位置情報を確認したい携帯電話Ｂの電話番号と、携帯電話Ａの電話番号と、携帯電話Ｂの位置情報を確認するためのパスワードを送信する。しかし、携帯電話Ａから位置情報サービスセンターに送信するデータは、位置確認するべき相手が携帯電話Ｂであることを特定できるデータ、携帯電話Ａからの送信であることを確認できるデータ及び上記のパスワードが含まれていれば、如何なる形態のデータを送信しても構わない。
【００６４】
次に位置情報サービスセンターでは、携帯電話Ａからの携帯電話Ｂの位置情報の問い合わせであることを認識すると、携帯電話Ｂの位置データがデータベースに存在するかどうかを確認する（ステップ７０６）。このとき、パスワードが正しいかどうかも確認するが、そのような方法は公知であるので図７には記載していない。
【００６５】
位置情報サービスセンターにおいて、データベース内に携帯電話Ｂの位置データが存在する場合は、位置情報サービスセンターは携帯電話Ｂの位置情報を携帯電話Ａに送信する（ステップ７０９）。従って、携帯電話Ａにおいて、携帯電話Ｂの位置情報を受取り、携帯電話Ｂの位置を確認できる（ステップ７１０）。
【００６６】
一方、位置情報サービスセンターにおいて、データベース内に携帯電話Ｂの位置データが存在する場合は、位置情報サービスセンターは、携帯電話Ｂの位置確認が不可能であることを示すメッセージを携帯電話Ａに送信する（ステップ７０７）。携帯電話Ａにおいて、このような位置確認が不可能であることを示すメッセージを受取った場合は、携帯電話Ａでは携帯電話Ｂの位置を確認することができず、上記受取ったメッセージを表示部に表示する（ステップ７０８）
本実施例は、本発明の一部の例であり、同様の効果が得られるフローチャートは多くのものが考えられる。また、本実施例は、携帯電話について記載したが、本発明は、通信機能を有していて、位置情報サービスを受けることができる機器であれば如何なる機器で構成されたシステムであっても構わない。
【符号の説明】
【００６７】
１  アンテナ
２  スピーカ
３  デュプレクサ
４  受信部
５  送信部
６  制御部
７  表示部
８  操作部
９  マイク
１０  記憶部
１１  ＧＰＳ処理部
１２  ＧＰＳアンテナ
【図１】
0005597612.tif 000002
【図２】
0005597612.tif 000003
【図３】
0005597612.tif 000004
【図４】
0005597612.tif 000005
【図５】
0005597612.tif 000006
【図６】
0005597612.tif 000007
【図７】
0005597612.tif 000008
【図８】
0005597612.tif 000009